【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
１つ以上のダイクロイックミラーと、
広帯域の入射光ビームを前記１つ以上のダイクロイックミラーを通って案内し、前記広帯域のビームを２つ以上の部分波長帯ビームへと分割するように構成された複数の光学プリズムと、
を備え、
前記光学プリズムを、当該光学ビーム分割装置をコンパクトな三次元配置へと畳むために回転させることができる、光学ビーム分割装置。
【請求項２】
前記ダイクロイックミラーが、入射ビームとの小さな入射角を有している請求項１に記載の光学ビーム分割装置。
【請求項３】
前記光学プリズムおよびダイクロイックミラーが、前記部分波長帯ビームを、前記入射ビームの向きに平行な向きを有する出射ビームとして形成するようにさらに構成されている請求項１に記載の光学ビーム分割装置。
【請求項４】
前記光学プリズムおよびダイクロイックミラーが、前記部分波長帯ビームを、前記入射ビームの向きに直角な向きを有する出射ビームとして形成するようにさらに構成されている請求項１に記載の光学ビーム分割装置。
【請求項５】
前記光学プリズムが、コンパクトな円筒形のスリーブへと挿入されるように構成されている請求項１に記載の光学ビーム分割装置。
【請求項６】
前記ダイクロイックミラーが、約３０度未満の入射ビームとの入射角を有している請求項１に記載の光学ビーム分割装置。
【請求項７】
前記光学プリズムを、前記部分波長帯ビームを対称な配置へと向けるために回転させることができる請求項１に記載の光学ビーム分割装置。
【請求項８】
第１のダイクロイック表面において反射させられた部分波長帯ビームが、光学プリズムの内部で全反射させられる請求項１に記載の光学ビーム分割装置。
【請求項９】
一部分が第１のプリズムの第１の反射面によって形成されている第１の平行な空隙、をさらに備えている請求項１に記載の光学ビーム分割装置。
【請求項１０】
前記第１の平行な空隙が、低い屈折率を有する流体または光学セメントで満たされてい
る請求項９に記載の光学ビーム分割装置。
【請求項１１】
前記第１の平行な空隙が、Ｄｏｗ  Ｃｏｒｎｉｎｇ社のＳｙｌｇａｒｄ  １８４で満たされている請求項９に記載の光学ビーム分割装置。
【請求項１２】
一部分が第２のプリズムの第１の反射面によって形成されている第２の平行な空隙、をさらに備えている請求項１に記載の光学ビーム分割装置。
【請求項１３】
前記第２の平行な空隙が、低い屈折率を有する流体または光学セメントで満たされている請求項１２に記載の光学ビーム分割装置。
【請求項１４】
前記第２の平行な空隙が、Ｄｏｗ  Ｃｏｒｎｉｎｇ社のＳｙｌｇａｒｄ  １８４で満たされている請求項１３に記載の光学ビーム分割装置。
【請求項１５】
前記広帯域の入射ビームを側方にずらすための平行四辺形のプリズム、をさらに備えている請求項１に記載の光学ビーム分割装置。
【請求項１６】
前記広帯域の入射ビームの第１の出射部分波長帯ビーム、第２の出射部分波長帯ビーム、および第３の出射部分波長帯ビームが、前記広帯域の入射ビームを中心とする正三角形のパターンでプリズムシステムから出る請求項１５に記載の光学ビーム分割装置。
【請求項１７】
第１のプリズムと前記平行四辺形のプリズムとの間に位置し、前記広帯域の入射ビームに対して垂直である第１の枢動面、をさらに備えている請求項１５に記載の光学ビーム分割装置。
【請求項１８】
前記平行四辺形のプリズムを、前記第１の枢動面上で前記第１のプリズムに対して回転させることができる請求項１７に記載の光学ビーム分割装置。
【請求項１９】
第２のプリズムと第３のプリズムとの間に位置し、前記広帯域の入射ビームに対して垂直である第２の枢動面、をさらに備えている請求項１に記載の光学ビーム分割装置。
【請求項２０】
前記第２のプリズムを、前記第２の枢動面上で前記第３のプリズムに対して回転させることができる請求項１９に記載の光学ビーム分割装置。
【請求項２１】
前記広帯域の入射ビームの第１の出射部分波長帯ビーム、第２の出射部分波長帯ビーム、および第３の出射部分波長帯ビームの各々が、前記入射ビームに含まれる波長帯の一部分を含んでいる請求項１に記載の光学ビーム分割装置。
【請求項２２】
前記広帯域の入射ビームが、白色の可視光であり、前記広帯域の入射ビームの前記第１の出射部分波長帯ビーム、前記第２の出射部分波長帯ビーム、および前記第３の出射部分波長帯ビームの各々が、赤色、緑色、および青色で構成されるグループから選択される請求項２１に記載の光学ビーム分割装置。
【請求項２３】
前記広帯域の入射ビームの波長帯が、４５０〜１８００ｎｍであり、前記広帯域の入射ビームの前記第１の出射部分波長帯ビーム、前記第２の出射部分波長帯ビーム、および前記第３の出射部分波長帯ビームの波長帯が、４５０〜６５０ｎｍ、６５０〜９００ｎｍ、および９００〜１８００ｎｍで構成されるグループから選択される請求項２１に記載の光学ビーム分割装置。
【請求項２４】
潜望鏡システムにおいて使用されるべく動作することができる請求項２１に記載の光学ビーム分割装置。
【請求項２５】
カメラにおいて使用されるべく動作することができる請求項２１に記載の光学ビーム分割装置。
【請求項２６】
投射装置において使用されるべく動作することができる請求項２１に記載の光学ビーム分割装置。
【請求項２７】
３つの光ビームをただ１つの光ビームへと結合させるべく動作することができる請求項２１に記載の光学ビーム分割装置。
【請求項２８】
光ビームを分割するための方法であって、
広帯域の入射光ビームを１つ以上のダイクロイックミラーおよび光学プリズムシステムを通って案内するステップと、
コンパクトな三次元配置から前記光学プリズムシステムを展開するステップと、
前記ダイクロイックミラーおよび前記光学プリズムシステムを利用して前記ただ１つの広帯域の入射光ビームから部分波長帯ビームを分離するステップと、
を含んでいる方法。
【請求項２９】
前記部分ビームを前記入射ビームに平行な向きを有するように案内するステップ、をさらに含んでいる請求項２８に記載の方法。
【請求項３０】
前記光学プリズムシステムを、前記部分波長帯ビームを対称な配置へと向けるべく回転させるステップ、をさらに含んでいる請求項２９に記載の方法。
【請求項３１】
前記部分ビームを前記入射ビームに直角な向きを有するように案内するステップ、をさらに含んでいる請求項２８に記載の方法。
【請求項３２】
コンパクトな円筒形のスリーブから前記光学プリズムの配置を除去するステップ、をさらに含んでいる請求項２８に記載の方法。
【請求項３３】
部分波長帯ビームを第１のダイクロイック表面から反射させ、該部分波長帯ビームを前記光学プリズムの内部で全反射させるステップ、をさらに含んでいる請求項２８に記載の方法。
【請求項３４】
第１の平行な空隙を、部分的に第１のプリズムの第１の反射面によって形成するステップ、をさらに含んでいる請求項２８に記載の方法。
【請求項３５】
前記第１の平行な空隙を、低い屈折率を有する流体または光学セメントで満たすステップ、をさらに含んでいる請求項３４に記載の方法。
【請求項３６】
前記第１の平行な空隙を、Ｄｏｗ  Ｃｏｒｎｉｎｇ社のＳｙｌｇａｒｄ  １８４で満たすステップ、をさらに含んでいる請求項３４に記載の方法。
【請求項３７】
第２の平行な空隙を、部分的に第２のプリズムの第２の反射面によって形成するステップ、をさらに含んでいる請求項２８に記載の方法。
【請求項３８】
前記第２の平行な空隙を、低い屈折率を有する流体または光学セメントで満たすステップ、をさらに含んでいる請求項３７に記載の方法。
【請求項３９】
前記第２の平行な空隙を、Ｄｏｗ  Ｃｏｒｎｉｎｇ社のＳｙｌｇａｒｄ  １８４で満たすステップ、をさらに含んでいる請求項３７に記載の方法。
【請求項４０】
前記広帯域の入射ビームを、平行四辺形のプリズムを使用して側方にずらすステップ、をさらに含んでいる請求項２８に記載の方法。
【請求項４１】
前記広帯域の入射ビームの第１の出射部分波長帯ビーム、第２の出射部分波長帯ビーム、および第３の出射部分波長帯ビームを、前記広帯域の入射ビームを中心とする正三角形のパターンで前記プリズムシステムから出るように構成するステップ、をさらに含んでいる請求項４０に記載の方法。
【請求項４２】
第１のプリズムと前記平行四辺形のプリズムとの間に位置し、前記広帯域の入射ビームに対して垂直である第１の枢動面を、枢動させるステップ、をさらに含んでいる請求項４０に記載の方法。
【請求項４３】
前記平行四辺形のプリズムを、前記第１の枢動面において前記第１のプリズムに対して回転させるステップ、をさらに含んでいる請求項４２に記載の方法。
【請求項４４】
第２のプリズムと第３のプリズムとの間に位置し、前記広帯域の入射ビームに対して垂直である第２の枢動面を、枢動させるステップ、をさらに含んでいる請求項２８に記載の方法。
【請求項４５】
前記第２のプリズムを、前記第２の枢動面において前記第３のプリズムに対して回転させるステップ、をさらに含んでいる請求項４４に記載の方法。
【請求項４６】
広帯域の入射ビームを、該広帯域の入射ビームに含まれる第１の出射部分波長帯ビーム、第２の出射部分波長帯ビーム、および第３の出射部分波長帯ビームへと分割するステップ、をさらに含んでいる請求項２８に記載の方法。
【請求項４７】
広帯域の入射ビームを、赤色、緑色、および青色で構成されるグループから選択される部分ビームへと分割するステップ、をさらに含んでいる請求項４６に記載の方法。
【請求項４８】
広帯域の入射ビームを、４５０〜６５０ｎｍ、６５０〜９００ｎｍ、および９００〜１８００ｎｍで構成されるグループから選択される部分へと分割するステップ、をさらに含んでいる請求項４６に記載の方法。
【請求項４９】
当該光学装置を、潜望鏡システムにおいて使用されるように構成するステップ、をさらに含んでいる請求項４６に記載の方法。
【請求項５０】
当該光学装置を、カメラにおいて使用されるように構成するステップ、をさらに含んでいる請求項４６に記載の方法。
【請求項５１】
当該光学装置を、投射装置において使用されるように構成するステップ、をさらに含んでいる請求項４６に記載の方法。
【請求項５２】
当該光学装置を、３つの光ビームをただ１つの光ビームへと結合させるように構成するステップ、をさらに含んでいる請求項４６に記載の方法。